(57)【要約】      （修正有）【課題】第１及び第２パネルを駆動するディスプレイ駆動回路及び駆動方法と、これを使用したマルチパネルディスプレイを提供する。【解決手段】第１及び第２パネルを駆動するディスプレイ駆動回路は、第２パネルの複数のデータ線を駆動するデータドライバーと、第１及び第２パネルのオン／オフ状態に応じてデータ線に参照電位を印加するかどうかを決めるためにデータ線に接続される電位スイッチ回路とを含む。【選択図】図２Ａ
2006106731.tif 000002
【特許請求の範囲】
【請求項１】
第１パネルと第２パネルを駆動するディスプレイ駆動回路であって、
第２パネルの複数のデータ線を駆動するデータドライバー、及び
第１及び第２パネルのオン／オフ状態に応じてデータ線に参照電位を印加するかどうかを決めるためにデータ線に接続される電位スイッチ回路、
を含むディスプレイ駆動回路。
【請求項２】
参照電位をデータ線に印加するかどうかを決めるためにスイッチ制御信号を電位スイッチ回路に伝達する制御バス、及び
データドライバーに信号を供給し、制御バスにスイッチ制御信号を供給するコントローラー
を含む請求項１に記載のディスプレイ駆動回路。
【請求項３】
前記制御バスは第２パネルの複数のゲート線を駆動するゲートドライバーを経てコントローラーからスイッチ制御信号を受信する請求項２に記載のディスプレイ駆動回路。
【請求項４】
前記電圧制御回路は複数のスイッチを含み、前記各スイッチの１端は参照電位に接続され、前記各スイッチの他の１端は対応するデータ線の１つに接続され、ここで、スイッチの少なくとも１つはスイッチ制御信号に応じてオン／オフされる
請求項１に記載のディスプレイ駆動回路。
【請求項５】
スイッチの少なくとも１つが、
第１のソース／ドレイン、第２のソース／ドレイン及びゲートを含む第１のＭＯＳであって、前記第１のＭＯＳの第１のソース／ドレインは参照電位に接続され、前記第１のＭＯＳのゲートはスイッチ制御信号を受信する、前記第１のＭＯＳ、及び
第１のソース／ドレイン、第２のソース／ドレイン及びゲートを含む第２のＭＯＳであって、前記第２のＭＯＳの第１のソース／ドレインは前記第１のＭＯＳの第２のソース／ドレインに接続され、前記第２のＭＯＳの第２のソース／ドレインは対応する１つのデータ線及びスイッチ制御信号を受信する第２のＭＯＳのゲートに接続される第２のＭＯＳ
を含む請求項４に記載のディスプレイ駆動回路。
【請求項６】
マルチパネルディスプレイのディスプレイ駆動方法であって、
マルチパネルディスプレイの複数のパネルのうちの１つのパネルの複数のデータ線にデータ信号を送信し、及び
前記１つのパネルがオフとなり、少なくとも他の１つのパネルがオンとなるときに参照電位をデータ線に供給する
ことを含むマルチパネルディスプレイのディスプレイ駆動方法。
【請求項７】
マルチパネルディスプレイの複数のパネルのうちの前記１つのパネルの複数のデータ線にデータ信号を送信する工程が
データ線を画像源に接続し、及び
画像源からデータ線にデータ信号を送信する
ことを含む請求項６に記載のディスプレイ駆動方法。
【請求項８】
前記１つのパネルがオフとなり、少なくとも他の１つのパネルがオンとなるときに参照電位をデータ線に供給する工程が
前記１つのパネルがオフになるとき前記１つのパネルのデータ線を画像源から切断し、及び
参照電位をデータ線に供給する
ことを含む請求項７に記載のディスプレイ駆動方法。
【請求項９】
複数のデータ信号を供給するコントローラー、
データ信号を受信するためにコントローラーに接続される複数の第１のデータ線を含む第１のパネル、
データ信号を受信するためにコントローラーに接続される複数の第２のデータ線を含む第２パネル、
スイッチ制御信号に応じて第２のデータ線に参照電位を供給するための第２のデータ線に接続される電位スイッチ回路
を含むマルチパネルディスプレイ。
【請求項１０】
第２のパネルがオフのときにインターフェイスがコントローラーから第２のデータ線を切断するインターフェイスをさらに含む請求項９に記載のマルチパネルディスプレイ。
【請求項１１】
第２のパネルが第２のパネルの複数のゲート線を駆動するゲートドライバーをさらに含み、スイッチ制御信号がコントローラーによって発生し、ゲートドライバーを経て電位スイッチ回路に伝達される請求項９に記載のマルチパネルディスプレイ。
【請求項１２】
第１のパネルがオンとなり第２のパネルがオフとなるとき、スイッチ制御信号は電位スイッチ回路が参照電位を第２のデータ線に供給することを可能にする請求項９に記載のマルチパネルディスプレイ。
【請求項１３】
第１のパネルがメインパネルであり、第２のパネルがサブパネルである請求項９に記載のマルチパネルディスプレイ。
【請求項１４】
第１のパネルがサブパネルであり、第２のパネルがメインパネルである請求項９に記載のマルチパネルディスプレイ。
【請求項１５】
請求項９に記載のマルチパネルディスプレイ、及び
画像データをディスプレイ装置に供給するための入力モジュール
を含む電子装置。
【発明の詳細な説明】
【技術分野】
【０００１】
本発明は、ディスプレイ駆動回路及びその方法に関する。特に、ディスプレイ駆動回路及びそれを使用するマルチパネルディスプレイに関する。
【背景技術】
【０００２】
ＬＣＤ又はＯＬＥＤのようなフラットパネルディスプレイは日常生活で幅広く使用されるので、多くの情報を表示するマルチパネルを提供するシステムは、例えば、携帯電話などにおいても簡単に見つけることができる。携帯電話においては、携帯電話が入力された指示に正しく応答するかどうかユーザーが観察できるようにメインパネルはキーボードを有する第１の側面に設定されている。さらに、いくつかの携帯電話においては、入ってきた情報又は画像をユーザーに知らせるために情報が表示できるように携帯電話の他の側面にサブパネルが設定される。
【０００３】
マルチパネルディスプレイを駆動するための典型的な回路設計が図１に示される。ここで、マルチパネルディスプレイ１０はコントローラー１２、第１のパネル１００及び第２のパネル１５０を含む。メインディプレイ領域１４０は第１のパネル上に供給され、サブディスプレイ領域１８０は第２のパネル上に供給される。メインパネル１４０を駆動するためには、データマルチプレクサ１１０及びゲートドライバー１２０の制御下でコントローラー１２からのデータ信号がメインディスプレイ領域のデータ線に送信されるようにデータマルチプレクサ１１０及びゲートドライバー１２０が供給される。
【０００４】
さらに、サブディスプレイ領域１８０を駆動するために、データマルチプレクサ１６０に供給されるデータ信号及びゲートドライバー１７０を制御するゲート信号を含む信号がバス１０６、データ・デ・マルチプレクサ１３０及びフレキシブル印刷回路（ＦＰＣ）１４によってコントローラー１２から受信されるように、データマルチプレクサ１６０及びゲートドライバー１７０が第２パネル１５０に供給される。
【０００５】
上述した回路設計はマルチパネルディスプレイを駆動するためのアプローチを提供するが、同時に問題も生じる。回路設計の１つの欠点は、サブディスプレイ領域１８０がオフとなりメインディスプレイ領域１４０がオンとなるとき、サブディスプレイ領域１８０のデータ線がフローティングすることである。サブディスプレイ領域１８０のデータ線のフローティング状態は、サブディスプレイ領域１８０への寄生容量効果又は製造過程によるデバイス特性の違いによってサブディスプレイにおける画素データを異常にする。言い換えると、寄生容量効果又はデバイス特性の相違は、画素データの変化及びサブディスプレイ領域１８０に表示される画像の異常をもたらす電流漏れを起こす。
【発明の開示】
【課題を解決するための手段】
【０００６】
１つの側面において、本発明は、対応するパネルのスイッチが切られ他のパネルのスイッチが入っているときに、画素データが参照電位レベルに維持されるようにマルチパネルディスプレイを駆動するためのディスプレイ駆動回路を提供する。
【０００７】
他の側面においては、データ線が画像源から切断されるときスイッチの切られたパネルのデータ線が参照電位レベルに維持されるマルチパネルディスプレイのディスプレイ駆動方法を提供する。
【０００８】
さらに他の側面においては、マルチパネルディスプレイのパネルがデータ線のフローティングによって生じる欠点の影響を受けない電子素子及びそれを使用したマルチパネルディスプレイを提供する。
【０００９】
本発明は、第１のパネル及び第２のパネルを駆動するディスプレイ駆動回路を提供する。ディスプレイ駆動回路は、第２のパネルの複数のデータ線を駆動するデータドライバー並びに第１及び第２パネルのオン／オフ状態に応じてデータ線に参照電位を印加するかどうかを決めるためにデータ線に接続された電位スイッチ回路を含む。
【００１０】
１つの実施例において、ディスプレイ駆動回路は、参照電位をデータ線に印加するかどうかを決めるための電位スイッチ回路にスイッチ制御信号を伝達するための制御バス、及びデータドライバーに信号を供給しスイッチ制御信号を制御バスに供給するためのコントローラーを含む。また、制御バスは第２のパネルの複数のゲート線を駆動するゲートドライバーを経てコントローラーからスイッチ制御信号を受信する。さらに、上記の電位スイッチ回路は複数のスイッチを含み、各スイッチの一端は参照電位に接続され、各スイッチ他の一端は対応するデータ線の１つに接続され、ここで、少なくとも１つのスイッチはスイッチ制御信号に応じて切り替えられる。
【００１１】
本発明はマルチパネルディスプレイのためのディスプレイ駆動方法を提供する。ディスプレイ駆動方法はマルチパネルディスプレイにおける複数のパネルの１つにおける複数のデータ線にデータ信号を送るステップ、及び１つのパネルのスイッチが切られ、他のパネルのスイッチが入れられるときデータ線に参照電位を供給するステップを含む。
【００１２】
本発明は、また、マルチパネルディスプレイを提供する。マルチパネルディスプレイは複数のデータ信号及びスイッチ制御信号を供給するコントローラー、データ信号を受信するためのコントローラーに接続される複数の第１のデータ線を含む第１のパネル、データ信号を受信するためのインターフェイスを経てコントローラーに接続される複数の第２のデータ線を含む第２のパネル、及びスイッチ制御信号に応じて第２データ線に参照電位を供給するための第２のデータ線に接続される電位スイッチ回路を含む。
【００１３】
１つの実施例において、第２のパネルオフとなるときインターフェイスはコントローラーから第２のデータ線を切り離し、第２のパネルは第２のパネルにおける複数のゲート線を駆動するためのゲートドライバーをさらに含み、スイッチ制御信号はゲートドライバーを経てコントローラーから電位スイッチ回路に伝達され、第１のパネルがオンとなり、第２パネルがオフとなるとき、コントローラーは電位スイッチ回路が参照電位を第２のデータ線に供給するようにスイッチ制御信号を供給する。
【００１４】
本発明はさらに電子装置を供給する。電子装置は入力モジュール、並びに少なくとも第１のパネル、第２のパネル及び電位スイッチ回路を含むディスプレイ装置を含む。入力モジュールは第１のパネル及び／又は第２のパネルにおけるデータ線にディスプレイ装置上に表示される画像データを供給する。電位スイッチ回路は、第２パネルがオフのとき参照電位が第２パネルのデータ線に供給されるように第２パネルのデータ線に接続される。
【００１５】
したがって、本発明の駆動回路、駆動方法及びマルチパネルディスプレイは、画素データがきちんと維持できるように他のパネルがオンとなるときにオフとなるパネルのデータ線の電位を一定に維持することができる。
【００１６】
上記の説明及び下記の詳細な説明は共に例示であって、特許請求の範囲に記載の発明をさらに説明することを意図したものである。
【発明を実施するための最良の形態】
【００１７】
本発明の好ましい実施例、その例として添付の図面のものを参照する。可能な限り、同じ参照番号は同じ又は類似の部分を引用する図面及び記載に使用される。
【００１８】
本発明の１つの実施例の電子装置のブロック図を示す図２Ａを参照する。電子装置２０は入力モジュール２００並びに第１のパネル１００、第２のパネル１５０及びスイッチ回路２０８を少なくとも含むディスプレイデバイス２０２を含む。入力モジュール２００はディスプレイ装置２０２に表示される画像データを第１パネル１００及び／又は第２パネル１５０のデータ線に供給する。下記にさらに説明するように、第２パネルがオフのとき第２パネル１５０のデータ線に参照電位が供給されるように電位スイッチ回路２０８は第２パネル１５０のデータ線に接続される。電子装置２００は携帯電話、ノートブックコンピュータ、デジタルカメラ又はＰＤＡなどを含む。
【００１９】
ディスプレイ装置のより詳細な説明のために、本発明の１つの実施例のマルチパネルディスプレイ及び駆動回路の回路ブロック図である図２Ｂを参照されたい。マルチパネルディスプレイ２５は、コントローラー２２、第１パネル１００及び第２パネル１５０を含む。第１表示領域２０４は第１パネル１００上に供給され、第２表示領域２０６は第２パネル上に供給される。第１表示領域２０４を駆動するためには、入力モジュール２００から供給される画像データからコントローラー２２によって変換されるデータ信号がデータマルチプレクサ１１０及びゲートドライバー１２０の制御下で第１表示領域２０４のデータ線２３０に送信されるように、マルチプレクサ１１０及びゲートドライバー１２０のようなデータドライバーが第１パネル１００に供給される。第２の表示領域２０６を駆動するためには、データマルチプレクサ１６０に供給されるデータ信号及びゲートドライバー１７０を制御するゲート信号を含む信号がバス１０６、データ・デ・マルチプレクサ１３０及びＦＰＣ１４を経てコントローラー２２から受信されるように、データマルチプレクサ１６０及びゲートドライバー１７０が第２パネル１５０に供給される。
【００２０】
さらに、データ線２２０への参照電位の供給を制御するために電位スイッチ２０８が第２パネル１５０上に設定される。参照電位は、第２のディスプレイが切れているときに正常に白又は正常に黒が第２のディスプレイ上に表示されるように第２のディスプレイ領域２０６の参照電位として使用される共通電圧であり得る。また、第２のディスプレイのスイッチが切れているとき第２のディスプレイ領域２０６が他の色を表示するように他の参照電位であってもよい。
【００２１】
また、コントローラー２２は、本実施例におけるゲートドライバー１２０／１７０を制御するためのゲート信号及び電位スイッチ回路２０８を制御するためのスイッチ制御信号のようなデータ信号及び制御信号を供給するための信号源であり、スイッチ制御信号は他の回路から生じ得る。換言すると、スイッチ制御信号が第２のパネルのスイッチのオン／オフにしたがって電位スイッチ回路２０８を切り換えることができる限り、スイッチ制御信号はコントローラー２２以外の回路によって発生させることができる。
【００２２】
さらに、データマルチプレクサ１１０及び１６０はそれぞれ第１表示領域２０４及び第２表示領域２０６のデータドライバーとして使用されることを認識されたい。しかしながら、これは当業者にとって必要な設計ではない。換言すると、並列又は平行に接続されたシフトレジスタはデータマルチプレクサ以外のデータドライバーであり得る。データ・デ・マルチプレクサ１３０はデータマルチプレクサ以外の回路がデータドライバーとして使用されるとき回路から省くことができる。
【００２３】
図２Ｂ及び図３Ｂを参照して実施例の詳細な操作について記載する。ここで、図３は本発明の１つの実施例のマルチパネルディスプレイの駆動方法のフローチャートである。
【００２４】
パネルのスイッチが入るとき、コントローラー２２はディスプレイを制御するためのデータ信号及びゲート制御信号を送信する。表示を制御するために、複数の制御信号がゲートドライバー１７０及び／又はデータマルチプレクサ１６０に伝達される。例えば、データ信号が赤色、緑色又は青色画素に入力されるように制御するために、色制御信号がデータマルチプレクサ１６０に伝達され、少なくとも１つの列の画素がデータ信号を受信するように指示されるように制御するためにゲートドライバー１７０にゲート制御信号が伝達される。これらの制御信号は、それぞれ、バス１５４及び１５２を経てデータマルチプレクサ（データドライバー）１６０及びゲートドライアバー１７０に送信される。
【００２５】
例えば、第２のディスプレイ領域２０６のスイッチが入るとき、マルチプレクサ１１０／１６０及びデータ・デ・マルチプレクサ１３０の通路を導くことによって、データ線２２０は信号源（ここで、第２ディスプレイ領域２０６のためにコントローラー２２は画像源である）に接続される（ステップＳ３００）。その後、コントローラー２２はデータマルチプレクサ１１０、バス１０６、データ・デ・マルチプレクサ１３０、ＦＰＣ１４及びデータマルチプレクサ１６０を経て第２表示領域２０６のデータ線２２０にデータ信号を送信することができる（ステップＳ３１０）。
【００２６】
一旦第２表示領域がオフとなり第１表示領域２０４が維持又はオンとなると、障害のあるデータマルチプレクサ１６０及び／又はデータ・デ・マルチプレクサ１３０によって第２表示領域２０６上に膨大な画像が表示されるのを防ぐために、データ線２２０は、信号源から切断される（ステップ３２０）。しかしながら、この操作はデータ線２２０をフロートさせ、従来の回路を使用するとデータ線２２０の電流漏れが生じる。
【００２７】
この問題を克服するために、電位スイッチ回路２０８が採用される。電位スイッチ回路２０８はバス２１２から受信したスイッチ制御信号に応答してデータ線２２０に参照電位を印加するかどうかを決める。換言すると、スイッチ制御信号は、第２表示領域２０６がオフ状態となり第１表示領域がオン状態となるとき、電位スイッチ回路２０８がデータ線２２０に参照電位を印加するのを可能にする（ステップＳ３３０）。
【００２８】
データ線２２０は電位スイッチ回路２０８を経て参照電位に接続されるので、それらはそれ以上フローティングしない。したがって、第２ディスプレイ領域２０６の画素データはデータ線２２０の電流漏れを被らない（ステップＳ３３０）。
【００２９】
電位スイッチ回路２０８は実施例において第２の表示領域に接続されるが、第２パネルがオンで第１パネルがオフのとき第１表示領域２０４の電流漏れが生じないように、電位スイッチ回路２０８は第１表示領域２０４にも接続することができる。
【００３０】
さらに詳細な説明のため、本発明の１つの実施例の電位スイッチ回路の回路図である図４を参照されたい。電位スイッチ回路は主として、データ線Ｒ１、Ｇ１、Ｂ１、Ｒ２等を共通電位Ｖｃｏｍに接続するかを決めるために図２におけるバス２１２からの信号によって制御されるスイッチ４１０、４２０、４３０又は４４０のような複数のスイッチを含む。１つの実施例において、スイッチ４１０はＶｃｏｍに接続する端子４１２とデータ線Ｂ１（例えば、図２Ｂにおけるデータ線２２０の１つ）に接続する他の端子４１４を有する。Ｖｃｏｍはバス２１２上のスイッチ制御信号が対応するスイッチ４１０、４２０、４３０又は４４０がそうするのを可能にするときデータ線の１つに接続されることができる。
【００３１】
さらに、１つの実施例において、スイッチ４１０はゲートがバス２１２に接続される２つの並列接続のＭＯＳを含む。ＭＯＳ４１６の第１のソース／ドレインは共通電位Ｖｃｏｍに接続し、ＭＯＳ４１８の第１のソース／ドレインはＭＯＳ４１６の第２のソース／ドレインに接続し、ＭＯＳ４１８の第２のソース／ドレインはデータ線の対応する１つに接続する。
【００３２】
したがって、参照電位は、データ線がフローティングするときパネルの１つのデータ線に接続される。よって、データ線における電流漏れは減少される。
【００３３】
本発明の多くの改良や変形が本発明の範囲又は精神から逸脱しない限り可能であることは当業者に明らかであろう。本発明は特許請求の範囲及びその均等の範囲内であるならばこの発明の改良や変形を含むものであることが意図されている。
【図面の簡単な説明】
【００３４】
【図１】関連する技術においてマルチパネルディスプレイの駆動回路の回路ブロック図を示す。
【図２Ａ】本発明の１つの実施例の電子装置のブロック図を示す。
【図２Ｂ】本発明の１つの実施例のマルチパネルディスプレイ及び駆動回路の回路ブロック図を示す。
【図３】本発明の１つの実施例のマルチパネルディスプレイの駆動方法のフローチャートを示す。
【図４】本発明の１つの実施例の電位スイッチ回路の回路図を示す。
【符号の説明】
【００３５】
１０    マルチパネルディスプレイ
１２    コントローラー
１４    ＦＰＣ
１００  第１のパネル
１１０  データマルチプレクサ
１２０  ゲートドライバー
１３０  データ・デ・マルチプレクサ
１４０  メインディスプレイ領域
１５０  第２のパネル
１６０  データマルチプレクサ
１７０  ゲートドライバー
１８０  サブディスプレイ領域
２０    電子装置
２００  入力モジュール
２０２  ディスプレイ装置
２０８  電位スイッチ回路
４１０  スイッチ
４２０  スイッチ
４３０  スイッチ
４４０  スイッチ
【図１】
2006106731.tif 000003
【図２Ａ】
2006106731.tif 000004
【図２Ｂ】
2006106731.tif 000005
【図３】
2006106731.tif 000006
【図４】
2006106731.tif 000007
【外国語明細書】
2006106731000001.pdf
2006106731000002.pdf
2006106731000003.pdf
2006106731000004.pdf